(57)【要約】      （修正有）【課題】睫毛を適切に分離し、睫毛に製品を適切に載せることを可能にするアプリケータを提供する。【解決手段】アプリケータ部材８を有する、睫毛および／または眉毛に美容用製品を塗布するためのアプリケータ２であり、アプリケータ部材８は、長手方向軸Ｘに沿って延びるコア１０と、長手方向に配向される複数の異なるアーム２０であって、アーム２０が、アーム２０の２つの端部によってコア１０に連結され、各アーム２０の長さが、アーム２０の２つの端部間のコア１０の長手方向軸に沿う距離よりも長い、アーム２０とを有し、コア１０は、アーム２０の端部間に、横断面が非円形の少なくとも１つの部分を有し、アーム２０は、コア１０の周りに不規則に分散されている。【選択図】図１
2020062413.tif 000002
【特許請求の範囲】
【請求項１】
睫毛および／または眉毛に美容用製品を塗布するためのアプリケータ（２）であって、本願の明細書に記載された特徴を有するアプリケータ（２）。
【発明の詳細な説明】
【技術分野】
【０００１】
本発明は、美容用製品、特に化粧用またはケア用の製品、たとえばマスカラを、睫毛または眉毛に塗布するためのアプリケータ、ならびに対応するパッケージ化／塗布用具（ｐａｃｋａｇｉｎｇ  ａｎｄ  ａｐｐｌｉｃａｔｉｏｎ  ｄｅｖｉｃｅ）に関する。
【０００２】
本発明はまた、塗布すべき製品を収容し、好ましくは、しごき部材が設けられている容器を有する用具に関する。
【０００３】
これらのパッケージ化／塗布用具は、それ自体知られている形で、ステム、およびステムの端部にアプリケータを有する。ステムは、直線または直線でない長手方向軸に沿って延びることができる。アプリケータは、コアを有し、コアは、直線または直線でない長手方向軸に沿って延び、ステムと一直線になって延びていても、またはステムとともにエルボを形成してもよい。これらの構成形態は、異なるホールド（ｈｏｌｄ）および可能な使用法を使用者に提供し、化粧効果に変化をもたせることを可能にする。
【背景技術】
【０００４】
仏国特許出願ＦＲ２９９３１５１は、塗布要素を担持するコアを有するアプリケータについて開示しており、このコアは、中空であり、側方開口部を有する少なくとも１つの膨隆部分を有する。
【０００５】
国際出願ＷＯ２０１１／１５８１７３は、中空のアプリケータ部材を有するアプリケータについて開示しており、その本体は、塗布要素と、睫毛が接触し得るアプリケータ部材の内側に配設される追加の要素とを担持するアームによって形成される。
【０００６】
意匠特許ＵＳＤ６８２５５６は、円形の横断面が２つの部分を含むコアを有するアプリケータについて開示しており、その２つの部分から、塗布要素を担持するアームが延びる。各部分のアームは、コアの周りに均等に分散されている。
【０００７】
国際出願ＷＯ２０１２／０８５３９８は、長手方向軸に沿って延びるコアと、長手方向に配向され、コア上の少なくとも２つの点において埋め込まれ、長手方向軸に垂直な少なくとも１つの曲げゾーンを有する１つまたは複数の可撓性アームとを有するアプリケータについて開示している。
【先行技術文献】
【特許文献】
【０００８】
【特許文献１】仏国特許出願第２９９３１５１号
【特許文献２】ＷＯ２０１１／１５８１７３
【特許文献３】ＵＳＤ６８２５５６
【特許文献４】ＷＯ２０１２／０８５３９８
【特許文献５】ＦＲ３００６５６６
【特許文献６】ＦＲ３００４９０５
【発明の概要】
【発明が解決しようとする課題】
【０００９】
製品、特に、マスカラを睫毛および／または眉毛に塗布するためのアプリケータを、その性能を向上させ、必要に応じて、特定の化粧効果を得ることを可能にするためにさらに改良する必要がある。
【課題を解決するための手段】
【００１０】
本発明は、この目的を達成することを目的とし、その態様のうちの１つによるその主題は、アプリケータ部材を有する、睫毛および／または眉毛に美容用製品を塗布するためのアプリケータであり、このアプリケータ部材は、
−  長手方向軸に沿って延びるコアと、
−  長手方向に配向される複数の異なるアームであって、これらのアームが、それらの２つの端部によってコアに連結されており、各アームの長さが、前記アームの２つの端部間のコアの長手方向軸に沿う距離Ｐよりも長い、アームと
を有し、
コアは、アームの端部間に、横断面が非円形の少なくとも１つの部分を有し、アームは、コアの周りに不規則に分散されている。
【００１１】
コアが非円形の横断面を有し、アームがコアの周りに不規則に分散されているということにより、容器から出るときに特異的なしごきを得ることが可能になる。これにより、具体的には、中心から外れたしごきが可能になる。具体的には、アプリケータ部材においては、睫毛を適切に分離することを可能にする、それほどたっぷりとは製品をアームに付着しない領域と、睫毛に製品を適切に載せることを可能にする、よりたっぷりと製品を特にアーム間に付着した１つまたは複数の領域とを有することが可能であり、アプリケータに自律性が与えられる。
【００１２】
「前記アームの２つの端部間のコアの長手方向軸に沿う距離Ｐ」という表現は、コアの長手方向軸に沿うアームの突出の長さを意味すると理解される。
【００１３】
長手方向軸は、中心軸であっても、またはさらには、特に、コアが、円形の横断面、または正多角形の全体形状の横断面を有するとき、コアの対称軸であってもよい。コアの長手方向軸は、直線であっても、または湾曲していてもよく、コアの横断面の一部、またはさらにはすべてについての対称面とすることができる平面に含まれていてもよい。コアの長手方向軸は、直線であることが好ましい。
【００１４】
アプリケータ部材は、一片であり、特に、一体に成形されていることが好ましい。一変形形態においては、アプリケータ部材は、少なくとも２つの材料からのオーバーモールドによって製作される。アプリケータ部材は、プラスチック材料、特に、熱可塑性物質、またはエラストマーで作られていても、または作られていなくてもよい。
【００１５】
アプリケータ部材は、長手方向の中心面に対して対称であることが好ましい。
【００１６】
アプリケータ部材は、コアの長手方向軸と直交する対称軸または対称面を有しないことが好ましく、したがって、アームが、コアの長手方向軸と直交する対称軸または対称面を有しないことが可能である。その結果として、異なる化粧効果が、どの部分のアプリケータ部材が使用されるかに応じて得られる可能性がある。したがって、アプリケータ部材は、届くことがより困難な眼の目頭における睫毛にアプリケータ部材の遠位端が届くように製作され得る。アームは、湾曲していて、瞼の湾曲を辿るように、および一方の手の動きにおいて多数の睫毛に美容用製品を塗布するのを容易にすることができる。
【００１７】
アプリケータは、アプリケータ部材が固定されるステムを有することができ、特に、アプリケータ部材の端部片が中に保持される筐体を有する。好ましくは、端部片は、コアの長手方向軸に沿って延びる。
【００１８】
コア
コアは、直線であることが好ましい。一変形形態においては、コアは、１つまたは複数の湾曲部を有することができる。
【００１９】
また、好ましくは、コアは、その長さの少なくとも８０％に沿って、より好ましくは、実質的にその全長に沿って中実である。
【００２０】
コアは、主軸に沿って細長い形状の少なくとも１つの横断面を有することができ、好ましくは、コアの横断面は、実質的にコアの全長Ｈに沿って細長い形状を有する。コアの横断面の主軸は、コアに沿って移動すると、同一（ｏｎｅ  ａｎｄ  ｔｈｅ  ｓａｍｅ）の平面、特に、アプリケータ部材の中心面に含まれ得る。これにより、特に、この中心面に沿って、より強いしごきを得ることが可能になる。
【００２１】
比率Ｋ２／Ｋ１は、０．３から１の間、さらに好ましくは０．５から０．８の間とすることができ、Ｋ１は、中心面の中の長手方向軸からのコアの表面の最大距離であり、Ｋ２は、同じ面の中の長手方向軸における同一の横座標からの最小距離である。
【００２２】
コアの横断面における高さは、長さＨの大部分に沿って実質的にコアの遠位端の方向に減少し得る。コアの高さは、長手方向軸に沿って減少し得、横断面は、コアの遠位端において円形になり得る。
【００２３】
「コアの高さ」という表現は、横断面における主軸に沿うコアの寸法を示す。
【００２４】
高さが最大のコアの横断面は、コアの遠位端よりもコアの近位端に近くてよい。
【００２５】
コアは、コアの長手方向軸に垂直に延びる少なくとも１つの横断方向溝（ｔｒａｎｓｖｅｒｓｅ  ｇｒｏｏｖｅ）、さらに好ましくは２つの横断方向溝、とりわけ、コアの外周の約５０％を超えて、より好ましくは７５％を超えて延びる１つまたは複数の横断方向溝を有することができる。この、またはこれらの溝は、アプリケータ部材に化粧用製品がたまることを可能にすることができ、塗布のときの製品の余量を構成することができる。
【００２６】
アームなしの部分
アプリケータ部材は、横断面において、コアの長手方向軸の周りに９０°以上、より好ましくは１２０°以上、さらにより好ましくは１８０°以上の角度範囲δを有するアームなしの部分を有することが好ましい。前記部分は、アプリケータ部材の中心面に対して対称であることが好ましい。
【００２７】
アーム
アプリケータ部材は、２つのアームのみを有することができる。
【００２８】
アームは、長手方向に整列されていない。
【００２９】
アームはすべて、同一とすることができる。
【００３０】
アームはそれぞれ、コアの長手方向軸を含む平面の中に延びることが好ましい。好ましくは、アームは、コアの長手方向軸を含んでおり、対で異なっている、平面の中に延びる。
【００３１】
好ましくは、アームは、コアの上側から延び、この上側は、反対側よりもコアの長手方向軸に近くなるようにしてある。
【００３２】
アームは、０．４ｍｍから２ｍｍの間、より好ましくは０．８ｍｍから１．３ｍｍの間の実質的に一定の厚さｅを有することができる。
【００３３】
アームは、０．５ｍｍから４ｍｍの間、より好ましくは１ｍｍから２ｍｍの間の実質的に一定の幅ｌを有することができる。
【００３４】
アームは、２ｍｍから６ｍｍの間、より好ましくは２．５ｍｍから４ｍｍの間の、コアから測定される最大高さｈｍａｘを有することができる。高さｈｍａｘは、前記アームの厚さｅ以上である。
【００３５】
アームの２つの端部間の距離Ｐは、好ましくは、１０ｍｍから４０ｍｍの間、より好ましくは２０ｍｍから３０ｍｍの間である。
【００３６】
アームは、好ましくは、可撓性である。これは、特に、アームの厚さｅが薄いことに起因する。したがって、アームは、ワイパを通過すると、変形し得る。
【００３７】
好ましくは、アームは、互いに接触していない。アームは、０．２ｍｍ以上の距離εだけ、コアにおいて分離していることができる。
【００３８】
アームは、中心面に対して対称であることが好ましい。
【００３９】
好ましくは、アームは、コアの長手方向軸の周りで相互間に、１８０°以下、より好ましくは４５°から１００°の間、さらにより好ましくは５０°から７０°の間の角度γを形成する。
【００４０】
アームの角度範囲λは、好ましくは、１８０°以下である。
【００４１】
アームが中心面に対して対称であり、１８０°以下の角度範囲λを有し、コアが中心面に沿って細長い横断面を有するということにより、アームから離れる側と、アームの側との両方に、より強いしごきを得ることが可能になる。したがって、ある程度の可撓性を有する一方、確実に適切にしごかれるアームを製作することが可能である。
【００４２】
各アームは、少なくとも２つの部分、すなわち、アプリケータ部材の近位側においてコアの連結されている近位部分と、アプリケータ部材の遠位側においてコアに連結されている遠位部分とを有することができる。
【００４３】
各アームは、相互間に、好ましくは４０°から１４５°の間、より好ましくは１００°から１３０°の間の角度αのエルボを形成する少なくとも２つの部分を有することができる。
【００４４】
エルボは、コアの遠位端よりもコアの近位端に近くてよく、特に、コアの長さＨの４０％から５％の間、さらに好ましくは２５％から１０％の間の、コアの近位端から距離ｆに位置していてよい。
【００４５】
遠位部分および近位部分は、上述のエルボを形成するために一緒に連結され得る。したがって、各アームは、遠位および近位の部分のみを有し得る。
【００４６】
アームの近位部分は、アームの２つの端部間にコアの長手方向軸に沿う距離Ｐの４０％未満、より好ましくは２０％未満、さらにより好ましくは２０％から５％の間の距離ｇに沿って、コアの長手方向軸に沿って突出するように延びることができる。
【００４７】
アームの部分はそれぞれ、略直線または湾曲、特に、長手方向軸に向かって凹状または凸状とすることができる。
【００４８】
部分のうちの一方、特に、近位部分は、直線とすることができ、部分のうちの他方、特に、遠位部分は、長手方向軸に向かって凸状とすることができる。
【００４９】
近位部分は、長手方向軸と１０°から９０°の間、より好ましくは３０°から７０°の間、さらにより好ましくは４５°から６０°の間の角度βを形成することができる。
【００５０】
遠位部分は、アームに、それとの接線において（ａｔ  ａ  ｔａｎｇｅｎｔ  ｔｈｅｒｅｔｏ）連結され得る。遠位部分は、距離Ｐの７０％未満、より好ましくは５０％から２０％の間の長さｄに沿ってコアに連結され得る。
【００５１】
一変形形態においては、少なくとも１つのアームは、その全長に沿って外側に向かって凸形状を有すること、特に、その全長に沿って弧の形状を有することができる。
【００５２】
一変形形態においては、少なくとも１つのアームは、複数の部分を有し、複数の部分は、長手方向に整列されており、その２つの端部によってコアにそれぞれ連結されている。
アーム部分は、接合していても、つまり、共通部分を有していても、または離れていても、つまり、互いに付着していなくてもよい。この部分はそれぞれ、上記に規定のアームの形態にあってよい。
【００５３】
アームは、それらの全長に沿ってコアに取り付けられていないことが好ましい。遠位部分は、コアと接触していない一部を有することができる。アプリケータ部材は、アームとコアとの間に、近位部分、コアの表面、および遠位部分の一部によって境界決めされる空間を有することができる。そのような空間は、アプリケータ部材において美容用製品の余量を形成することを可能にする。
【００５４】
塗布要素
コアは、特に、２つの隣接するアーム間に、さらにより好ましくはこの２つの隣接するアームから等しい距離に位置している、少なくとも１つの長手方向列の塗布要素を担持することができる。一変形形態においては、コアは、コアの長手方向軸の周りを移動すると、少なくとも１つのアームのいずれかの側、より好ましくはすべてのアームのいずれかの側において、塗布要素の列を有することができる。
【００５５】
「塗布要素」という表現は、ヒトのケラチン繊維に咬み合った状態になるように意図された個別化可能な（ｉｎｄｉｖｉｄｕａｌｉｚａｂｌｅ）突出した要素を示す。
【００５６】
コアによって担持される塗布要素はすべて、１ｍｍから１０ｍｍの間、より好ましくは３ｍｍから６ｍｍの間の実質的に同じ高さｋを有することができる。コアによって担持される塗布要素は、好ましくは、１つの列内に互いに整列され、すべて、０．１ｍｍから５ｍｍの間、より好ましくは０．５ｍｍから１ｍｍの間の２つの連続的な塗布要素の重心間に画定される同じ距離ｏだけ離間され得る。
【００５７】
好ましくは、アームのうちの少なくとも１つは、少なくとも１つの長手方向列の塗布要素を担持し、２つの連続するアームはそれぞれ、少なくとも１つの列の塗布要素を担持することができ、より好ましくは、アームはすべてそれぞれ、少なくとも１つの列の塗布要素を担持する。
【００５８】
各アーム上の塗布要素の列は、エルボとアームの遠位端との間のみ、前記アームの遠位部分によって担持され得る。
【００５９】
好ましくは、１つのアームよって担持される塗布要素は、互いから等しい距離にあり、２つの連続的な塗布要素は、０．１ｍｍから５ｍｍの間、より好ましくは０．５ｍｍから１ｍｍの間のそれらの重心間に画定される距離ｕだけ離間され得る。
【００６０】
アームによって担持される塗布要素はすべて、それらが延びてくるアームの表面から同じ高さｓまで延びることができ、それらの高さｓは、１ｍｍから３ｍｍの間、より好ましくは１．５ｍｍから２．５ｍｍの間である。
【００６１】
好ましくは、アームを有しないコアの部分は、塗布要素も有しない。
【００６２】
塗布要素は、スパイクまたは歯の形態にあってよく、好ましくは、コアによって担持される塗布要素は、スパイクの形態にあり、アームによって担持される塗布要素の列は、長手方向軸に沿って、歯とスパイクとの互い違い（ａｌｔｅｒｎａｔｉｏｎ）の形状を成す。
【００６３】
「歯」という用語は、少なくとも１つの平坦な横断面を有する塗布要素を意味すると理解される。歯は、特許出願ＦＲ３００６５６６およびＦＲ３００４９０５に記載されているものとすることができる。
【００６４】
歯は、コアの長手方向軸を横断する平面において平坦化され得る。
【００６５】
歯は、それらが延びてくるアームの幅ｌよりも大きい最大寸法ｍを横断面に有することができる。
【００６６】
塗布要素は、コアと、および／またはアームと成形されていることが好ましい。
【００６７】
本発明のさらなる主題は、パッケージ化／塗布用具であり、このパッケージ化／塗布用具は、
−  塗布すべき美容用製品を収容するリザーバ、
−  本発明によるアプリケータ
を備える。
【００６８】
容器は、好ましくは、アプリケータをしごくのに適しているしごきリップを備えるしごき部材を有する。
【００６９】
製品は、好ましくは、マスカラである。
【００７０】
本発明のさらなる主題は、本発明によるアプリケータを用いて、美容用製品、特に、マスカラを塗布するステップを含む化粧方法である。
【００７１】
本発明は、その非限定的な実装形態の例の次の詳細な説明を読むことにより、および添付の図面を参照すると、より良く理解され得る。
【図面の簡単な説明】
【００７２】
【図１】本発明によるパッケージ化／塗布用具の一例を示す図である。
【図２】本発明によるアプリケータ部材の一例の概略的斜視図である。
【図３】図２におけるアプリケータ部材のＩＩＩに沿う図である。
【図４】図２および図３におけるアプリケータ部材のＩＶに沿う図である。
【図５】図２〜図４におけるアプリケータ部材のＶに沿う図である。
【図６】図２〜図５におけるアプリケータ部材のＶＩに沿う図である。
【図７】変形アプリケータ部材の、図５および図６の平面Ｍにおける概略的長手方向    断面図である。
【図８】変形アプリケータ部材の、図５および図６の平面Ｍにおける概略的長手方向    断面図である。
【図９】変形アプリケータ部材の、図５および図６の平面Ｍにおける概略的長手方向    断面図である。
【発明を実施するための形態】
【００７３】
図１は、アプリケータ２と、睫毛および／または眉毛に塗布すべき製品Ｐ、たとえばマスカラ、またはケア用製品を収容する関連の容器３を有する、本発明により製作されるパッケージ化／塗布用具１を示している。
【００７４】
容器３は、問題の例においては、ねじ付きネック４を有し、アプリケータ２は、使用中でない場合に封止された形で容器３を閉めるようにするためにネック４に固定されるように設計されたクロージャキャップ５を有し、クロージャキャップ５はまた、アプリケータ２のための把持部材を構成する。
【００７５】
アプリケータ２は、ステム７を有し、ステム７は、その近位端１２においてクロージャキャップ５に、その遠位端１１においてアプリケータ部材８に取り付けられ、アプリケータ部材８は、直線の長手方向軸Ｘに沿って延びるコア１０を有する。
【００７６】
容器３はまた、ネック４に挿入されるしごき部材６を有する。
【００７７】
任意の適切なタイプであってよいこのしごき部材６は、問題の例においては、アプリケータ２が容器３から引き抜かれるとき、ステム７およびアプリケータ部材８をしごくように設計されているリップを有する。リップは、直径をステム７の直径に適合させたしごきオリフィス６ａを画定する。しごき部材６は、エラストマーで作られていてよい。しごきオリフィス６ａは、たとえば、円形の形状を有する。
【００７８】
しごきオリフィス６ａの直径は、典型的には、３ｍｍから５．５ｍｍの間であり、たとえば、約４．５ｍｍまたは５ｍｍである。
【００７９】
示されている例においては、ステム７は、円形の横断面を有するが、ステム７が何らかの他の断面を有する場合、これは、本発明の範囲から逸脱するものではなくて、必要に応じて、ねじ込み以外の何らかのやり方で、容器３にキャップ５を固定することが可能である。しごき部材６は、適宜、ステム７の形状におよびアプリケータ部材８の形状に適合されている。
【００８０】
好ましくは、問題の例にあるように、ステム７の長手方向軸Ｙは、直線であり、アプリケータ部材８がそれに対する定位置にあるとき、容器３の長手方向軸と一致するが、ステム７が直線でなく、たとえば、エルボを形成する場合、これは、本発明の範囲から逸脱するものではない。
【００８１】
必要に応じて、ステム７は、保管中にしごき部材６に過度に機械的な応力を加えないようにするために、しごき部材６のリップの反対側に位置決めされているその部分に環状狭窄部を有することができる。
【００８２】
図２に示されているように、アプリケータ部材８は、それを固定するための端部片９をステム７の対応する筐体の中に有することができる。
【００８３】
アプリケータ部材８は、任意の手段、特に、圧力嵌め、スナップ留め、接着剤接合、溶着、ステープリング、または圧着によって、ステム７のこの筐体の中に固定され得る。
【００８４】
アプリケータ部材８のコア１０は、示されているように、アーム２０、特に、２つのアームを担持する。これらのアームは、同一であり、それぞれ、コア１０の長手方向軸Ｘを含んだ、図５および図６に示されている平面Ｍの中に延びている。アーム２０は、互いに接触していない。特に、アーム２０は、互いと０．２ｍｍ以上の距離εだけそれらの全長に沿って離間されている。
【００８５】
アーム２０は、相互間に約６０°の角度γを形成する。
【００８６】
コア１０は、長手方向軸Ｘに沿って実質的に２５ｍｍに等しい長さＨに沿って延びることができる。
【００８７】
アプリケータ部材８は、対称軸を有しないが、それにもかかわらず、長手方向軸Ｘを含む中心面Ｍに対しては対称である。
【００８８】
アーム２０は、それらの全長に沿ってコア１０と接触せず、それらの端部間に距離Ｐよりも長い長さＬを有し、距離Ｐは、実質的に２３ｍｍに等しい。
【００８９】
横断面においては、コア１０は、中心面Ｍに含まれている主軸に沿って細長い、実質的にその全長Ｈに沿って楕円形を有する。
【００９０】
コア１０の高さｂは、この場合においては、中心面Ｍにおける寸法であり、その遠位端１２の方向に長手方向軸Ｘに沿って減少し得る。その遠位端において、コア１０は、実質的に円形の断面を有し得る。
【００９１】
中心面Ｍと垂直に測定されるコア１０の厚さｃは、コア１０の全長Ｈに沿ってやはり減少し得る。
【００９２】
図５および図６に示されているように、比率Ｋ２／Ｋ１は、実質的に０．７に等しくてよく、Ｋ１は、中心面Ｍの中の長手方向軸Ｘからのコア１０の表面の最大距離であり、Ｋ２は、同じ面Ｍの中の長手方向軸Ｘにおける同一の横座標からの最小距離である。
【００９３】
アーム２０は、コア１０の上側１８から延びることが好ましく、前記上側１８は、コア１０の表面が、反対側１９よりも長手方向軸Ｘに近くなるようにしてある。
【００９４】
コア１０は、２つのアーム２０間に、２つのアーム２０から等しい距離に配設される塗布要素４０の列を担持し得る。
【００９５】
コア１０によって担持されるこれらの塗布要素４０は、特に、回転錐の形態の円錐形形状のスパイクとすることができる。列の中のスパイクは、示されている例においては、すべて、長手方向に整列し、すべて、実質的に０．７ｍｍに等しい同じ距離ｏだけ離間されている。
【００９６】
塗布要素４０は、中心面Ｍの中に長手方向に延びていてよい。
【００９７】
示されているように、コア１０は、コア１０の長手方向軸Ｘに垂直に延びる２つの横断方向溝１６を有することができる。これらの溝１６は、コア１０の外周の約７５％を超えて、ほとんどコア１０の大きい下面１９において延びる。
【００９８】
アーム２０は、０．８ｍｍから１．３ｍｍの間の実質的に一定の厚さｅ、および１ｍｍから２ｍｍの間の実質的に一定の幅ｌを有することが好ましい。アームは、コアから測定される、２．５ｍｍから４ｍｍの間の最大高さｈｍａｘを有し得る。高さｈｍａｘは、各アームの厚さｅよりも大きい。
【００９９】
アーム２０は、可撓性であることが好ましい。これは、特に、それらの厚さと高さが薄いためである。したがって、アームは、ワイパを通過すると、比較的容易に変形し得る。
【０１００】
各アーム２０は、コア１０にそれの近位側において連結されている近位部分２２と、コア１０にそれの遠位側において連結されている遠位部分２４とを有する。近位部分２２および遠位部分２４は、相互間に、実質的に１１０°に等しい角度αのエルボ２６を形成する。
【０１０１】
エルボ２６は、コア１０の遠位端１２よりもコア１０の近位端１４に近い。長手方向軸Ｘに沿って、エルボ２６は、長さＨの約１０％の、コア１０の近位端１４から距離ｆにある。
【０１０２】
近位部分２２は、実質的には、直線であり、距離Ｐの約１０％の距離ｇに沿って、長手方向軸Ｘに沿って突出するように延びる。近位部分２２は、コア１０に取り付けられ、コア１０と約５０°の角度βが作られる。
【０１０３】
遠位部分２４は、長手方向軸Ｘに向かって実質的に凸状である。
【０１０４】
遠位部分２４は、コア１０に接触している第１の一部２４ａと、コア１０に接触していない第２の一部２４ｂとを有することができる。第１の一部２４ａは、距離Ｐのたとえば約４０％の、長手方向軸Ｘに沿った長さｄを有する。
【０１０５】
第２の一部２４ｂ、近位部分２２、およびコア１０の表面は相互間に、化粧用製品の余量がたまることができる自由空間３０を画定する。
【０１０６】
遠位部分２４は、スパイク３２と歯３４の互い違いから構成されている長手方向列の塗布要素を担持する。
【０１０７】
スパイク３２および歯３４のほとんどは、それらが取り付けられている遠位部分２４の表面と実質的に垂直な方向に延びる。スパイク３２および歯３４はすべて、１．５ｍｍから２ｍｍの間の実質的に同じ高さｓである。それらはすべて、互いとは等しい距離において配列され、配設され、特に、実質的に０．７ｍｍに等しい距離ｕだけ離間されている。
【０１０８】
スパイク３２は、軸対称形状、特に、円錐形の形状を有することができる。
【０１０９】
歯３４は、対応するアーム２０の平ら部に垂直な細長い横断面を有することができる。歯３４の最大幅ｍは、それらを担持するアーム２０の幅ｌよりも大きくてよい。示されているように、歯の基部３６は、幅ｌよりも広くてよく、歯３４は、それの縁部まで延びることができる。
【０１１０】
近位部分２２は、塗布要素を担持しないことが好ましい。
【０１１１】
アーム２０、ならびにそれらの塗布要素３２および３４は、中心軸に対して対称な形で、約１００°の角度範囲λを含む部分４１にわたってコアの周りに延びる。部分４１は、コア１０の上側１８にあることが好ましい。
【０１１２】
約２６０°の角度範囲δを有する、コアの残りの部分４２が、アーム２０、ならびに塗布要素３２および／または３４を有しないことは可能である。
【０１１３】
アプリケータ部材８は、長手方向軸Ｘと直交する対称面または対称軸を有しない。
【０１１４】
アプリケータ部材８は、一片であり、一体に成形されることが好ましい。
【０１１５】
一変形形態においては、アプリケータ部材は、２ショット射出成形工程によって得られる。
【０１１６】
アプリケータ部材８は、熱可塑性材料、特に、Ｈｙｔｒｅｌ（登録商標）、ＳＥＢＳ、ＰＰ、またはＰＥで作られていることが好ましい。
【０１１７】
図７〜図９に示されている例は、アーム２０のうちの少なくとも１つの形状により、図１〜図６におけるものとは異なる。
【０１１８】
図７に示されている例においては、図示のアーム２０は、円の弧の形状を有する。
【０１１９】
図８および図９に示されている例においては、図示のアーム２０は、２つの部分５０および５２を有する。部分５０および５２のそれぞれは、アーム２０が２つの自由空間３０を画定するように、その２つの端部によってコアに連結されている。
【０１２０】
部分５０および５２はそれぞれ、図８に示されているように、弧の形態にあっても、またはそれぞれ、図９に示されているように、上述のアーム２０と同じ形状を有してもよい。
【０１２１】
上に説明したアプリケータ２は、コア１０の横断面の形状が細長く、アーム２０が分散しているために、アーム２０と、アーム２０から離れている部分との両方の強いしごきを得ることを可能にする。
【０１２２】
各アーム２０の遠位部分２４は、瞼の湾曲に合うように設計され、それにより、多数の睫毛を片方の手の動きで化粧することができるようになる。
【０１２３】
アプリケータ２の遠位端は、眼の内側における睫毛を精密に化粧することを可能にすることができる。
【０１２４】
スパイク３２および歯３４は、睫毛を良好に分離させることを可能にする。アーム２０上の前記スパイク３２と歯３４の互い違いにより、睫毛に良好に載せることと、睫毛を良好に分離させることとの両方が可能になる。
【０１２５】
ワイパ６から出ると、空間３０は、製品で満たされ、余量を構成する。したがって、アプリケータ２は、塗布ごとに、リザーバ３の中に戻して浸漬する必要なく使用可能である。
【０１２６】
本発明は、上述の実施形態に限定されるものではない。たとえば、コア、アームおよび／もしくは塗布要素は、他の形状を有してもよく、ならびに／またはアプリケータ部材は、３つ以上のアームを有してもよい。
【０１２７】
反対の指示がない限り、「ｈａｖｉｎｇ  ａ（１つの〜を有する）」という表現は、「ｃｏｍｐｒｉｓｉｎｇ  ａｔ  ｌｅａｓｔ  ｏｎｅ（少なくとも１つを備える）」と同義であると理解すべきであり、「ｂｅｔｗｅｅｎ（〜の間）」は、限界値を含むものと理解される。
【０１２８】
（第１項）
アプリケータ部材（８）を有する、睫毛および／または眉毛に美容用製品を塗布するためのアプリケータ（２）であって、前記アプリケータ部材（８）が、
−  長手方向軸（Ｘ）に沿って延びるコア（１０）と、
−  長手方向に配向される複数の異なるアーム（２０）であって、アーム（２０）が、それらの２つの端部によって前記コア（１０）に連結されており、各アーム（２０）の長さが、アーム（２０）の前記２つの端部間の前記コア（１０）の前記長手方向軸に沿う距離（Ｐ）よりも長い、アーム（２０）と
を有し、
前記コア（１０）が、前記アーム（２０）の前記２つの端部間に、横断面が非円形の少なくとも１つの部分を有し、前記アーム（２０）が、前記コア（１０）の周りに不規則に分散されている、
アプリケータ（２）。
【０１２９】
（第２項）
前記アプリケータ部材（８）が、長手方向の中心面（Ｍ）に対して対称である、第１項に記載のアプリケータ（２）。
【０１３０】
（第３項）
前記コア（１０）が、実質的に前記コア（１０）の全長Ｈに沿って細長い横断面を有する、第１項または第２項に記載のアプリケータ（２）。
【０１３１】
（第４項）
前記アプリケータ部材（８）が、横断面において、前記コアの前記長手方向軸の周りに９０°以上、より好ましくは１２０°以上、さらにより好ましくは１８０°以上の角度範囲δを有するアームなしの部分（４２）を有する、第３項に記載のアプリケータ（２）。
【０１３２】
（第５項）
前記コア（１０）が、前記コアの前記長手方向軸（Ｘ）に垂直に延びる少なくとも１つの横断方向溝（１６）、さらに好ましくは２つの横断方向溝（１６）、とりわけ、前記コア（１０）の外周の約５０％を超えて、より好ましくは７５％を超えて延びる１つまたは複数の横断方向溝（１６）を有する、第１項から第４項のいずれか一項項に記載のアプリケータ（２）。
【０１３３】
（第６項）
前記アプリケータ部材（８）が、２つのアーム（２０）のみを有する、第１項から第５項のいずれか一項項に記載のアプリケータ（２）。
【０１３４】
（第７項）
前記アーム（２０）が、互いに接触していない、第１項から第６項のいずれか一項に記載のアプリケータ（２）。
【０１３５】
（第８項）
前記アーム（２０）が、相互間に、１８０°以下、より好ましくは４５°から１００°の間、さらにより好ましくは５０°から７０°の間の角度γを形成する、第１項から第７項のいずれか一項に記載のアプリケータ（２）。
【０１３６】
（第９項）
各アーム（２０）が、相互間に、４０°から１４５°の間、より好ましくは１００°から１３０°の間の角度αのエルボ（２６）を形成する近位部分（２２）および遠位部分（２４）を有し、前記遠位部分（２４）が、好ましくは、前記アーム（２０）の前記２つの端部間の距離Ｐの７０％未満、より好ましくは５０％から２０％の間の長さｄに沿って前記コア（１０）に連結されている、第１項から第８項のいずれか一項に記載のアプリケータ（２）。
【０１３７】
（第１０項）
前記アームのうちの少なくとも１つが、長手方向に整列されており、前記アームの２つの端部によって前記コアにそれぞれ連結されている、複数の部分を有する、第１項から第９項のいずれか一項に記載のアプリケータ（２）。
【０１３８】
（第１１項）
前記コア（１０）が、２つの隣接するアーム（２０）間に、好ましくは前記２つの隣接するアーム（２０）から等しい距離において配設されている、少なくとも１つの列の塗布要素（４０）、特に、スパイク（４０）の列を担持する、第１項から第１０項のいずれか一項に記載のアプリケータ（２）。
【０１３９】
（第１２項）
前記アーム（２０）のうちの少なくとも１つが、少なくとも１つの長手方向列の塗布要素（３２、３４）を担持し、より好ましくは少なくとも２つの連続するアーム（２０）がそれぞれ、少なくとも１つの列の塗布要素（３２、３４）、特に、前記長手方向軸（Ｘ）に沿って、歯（３４）とスパイク（３２）の互い違いを担持する、第１項から第１１項のいずれか一項に記載のアプリケータ（２）。
【０１４０】
（第１３項）
比率Ｋ２／Ｋ１が、０．５から０．９の間、さらに好ましくは０．６から０．８の間であり、Ｋ１が、前記中心面（Ｍ）の中の前記長手方向軸（Ｘ）からの前記コア（１０）の表面の最大距離であり、Ｋ２が、同じ面（Ｍ）の中の前記長手方向軸（Ｘ）における同一の横座標からの最小距離である、第１項から第１２項のいずれか一項に記載のアプリケータ（２）。
【０１４１】
（第１４項）
−  塗布すべき美容用製品を収容するリザーバ（３）、
−  第１項から第１３項のいずれか一項に記載のアプリケータ（２）
を備える、パッケージ化／塗布用具（１）。
【０１４２】
（第１５項）
第１項から第１３項のいずれか一項に記載のアプリケータ（２）を用いて、美容用製品、特に、マスカラを塗布するステップを含む化粧方法。
【符号の説明】
【０１４３】
１  パッケージ化／塗布用具
２  アプリケータ
３  容器、リザーバ
４  ねじ付きネック
５  クロージャキャップ
６  しごき部材、ワイパ
６ａ  しごきオリフィス
７  ステム
８  アプリケータ部材
９  端部片
１０  コア
１６  横断方向溝
１８  コアの上側
１９  コア下面
２０  アーム
２２  近位部分
２４  遠位部分
２４ａ  第１の一部
２４ｂ  第２の一部
２６  エルボ
３０  自由空間
３２  スパイク
３４  歯
４０  塗布要素
４２  コアの残りの部分
５０  部分
５２  部分
Ｐ  製品、距離
Ｘ  長手方向軸
Ｈ  長さ
Ｌ  長さ
Ｍ  中心面
ｃ  コアの厚さ
ｄ  長さ
ｅ  アームの厚さ
ｆ  距離
ｇ  距離
ｋ  高さ
ｌ  幅
ｍ  最大幅
ｏ  距離
ｓ  高さ
ｕ  距離
α  角度
β  角度
λ  角度範囲
δ  角度範囲
【図１】
2020062413.tif 000003
【図２】
2020062413.tif 000004
【図３】
2020062413.tif 000005
【図４】
2020062413.tif 000006
【図５】
2020062413.tif 000007
【図６】
2020062413.tif 000008
【図７】
2020062413.tif 000009
【図８】
2020062413.tif 000010
【図９】
2020062413.tif 000011
【外国語明細書】
2020062413000001.pdf